(57)【特許請求の範囲】
【請求項１】
ハウジングに取り付けられるダストケースと、前記ハウジングに取り付けられ、かつ、前記ダストケースの内部に設けられ、かつ、前記ダストケース内に吸い込まれる空気が通る経路に設けられたフィルタ装置と、を有する携帯用クリーナであって、
前記ダストケースが前記ハウジングに対して第１の向きに回転されると、前記ダストケースが前記ハウジングから取り外されることを許容する一方、前記ダストケースが前記ハウジングに対して前記第１の向きとは逆の第２の向きに回転されると、前記ダストケースを前記ハウジングに固定するケース支持機構と、
前記フィルタ装置が前記ハウジングに対して前記第１の向きに回転されると、前記フィルタ装置を前記ハウジングに固定する一方、前記フィルタ装置が前記ハウジングに対して前記第２の向きに回転されると、前記フィルタ装置が前記ハウジングから取り外されることを許容するフィルタ支持機構と、
前記フィルタ支持機構により前記ハウジングに取り付けられている前記フィルタ装置が、前記第１の向きでさらに回転されることを防止する回り止め機構と、
が設けられている、携帯用クリーナ。
【請求項２】
前記ダストケース及び前記フィルタ装置は、共通の軸線を中心として回転されると前記ハウジングから取り外される、請求項１に記載の携帯用クリーナ。
【請求項３】
前記ダストケースは、前記第１の向きに回転し、かつ、前記ハウジングから取り外される際に前記フィルタ装置に付着されている塵埃を取り除く除塵機構を備えている、請求項１または２に記載の携帯用クリーナ。
【請求項４】
前記除塵機構は、前記ダストケースの内部に設けられ、かつ、前記フィルタ装置の外周部に接触される接触部を有する、請求項３に記載の携帯用クリーナ。
【請求項５】
前記ハウジングに取り付けられている前記フィルタ装置が前記ハウジングに対して前記第２の向きで回転されることを規制する位置保持機構が設けられている、請求項１〜３のいずれか１項に記載の携帯用クリーナ。
【請求項６】
ハウジングに取り付けられるダストケースと、前記ハウジングに取り付けられ、かつ、前記ダストケースの内部に設けられ、かつ、前記ダストケース内に吸い込まれる空気が通る経路に設けられたフィルタ装置と、を有する携帯用クリーナであって、
前記フィルタ装置が前記ハウジングに取り付けられている状態で、前記フィルタ装置が前記ハウジングに対して回転されると、前記フィルタ装置が前記ハウジングから取り外されることを許容するフィルタ支持機構と、
前記フィルタ装置が前記ハウジングに取り付けられている状態で、前記フィルタ装置が前記ハウジングから取り外される向きとは逆向きに回転されることを防止する回り止め機構と、
前記フィルタ装置が前記ハウジングに取り付けられている状態で、前記フィルタ装置が前記ハウジングから取り外される外される向きに回転されることを規制する位置保持機構と、
が設けられ、
前記ダストケースは、前記ハウジングに対して回転されると、前記フィルタ装置の外周部に接触して前記フィルタ装置に付着されている塵埃を取り除く除塵機構を備え、
前記位置保持機構は、作業者によって前記フィルタ装置が前記ハウジングに対して回転されて前記フィルタ装置が前記ハウジングから取り外されることを許容するとともに、前記除塵機構が前記フィルタ装置の外周部を擦る際の摩擦力で、前記フィルタ装置が前記ハウジングから取り外される方向に回転することを規制する、携帯用クリーナ。
【請求項７】
前記フィルタ支持機構は、
前記ハウジングに設けられた第１係合部と、
前記フィルタ装置に設けられ、かつ、前記第１係合部と係合して前記フィルタ装置が前記ハウジングに取り付けられている状態に保持する第２係合部と、
を有し、
前記位置保持機構は、
前記ハウジングに設けられた第１保持部と、
前記フィルタ装置に設けられ、かつ、前記第１保持部と係合して前記フィルタ装置が前記ハウジングに対して回転することを規制する第２保持部と、
を備え、
前記位置保持機構は、前記第１保持部と前記第２保持部との係合が解除されると、前記フィルタ装置が前記ハウジングに対して回転されることを許容する、請求項６に記載の携帯用クリーナ。
【請求項８】
前記第１保持部及び前記第２保持部は、前記フィルタ装置を前記ハウジングに対して動かす回転力が互いの係合力を超えると、係合が解除されて前記フィルタ装置が前記ハウジングに対して回転されることを許容する、請求項７に記載の携帯用クリーナ。
【発明の詳細な説明】
【技術分野】
【０００１】
本発明は、ハウジングに着脱されるダストケースを備えた携帯用クリーナに関する。
【背景技術】
【０００２】
従来、モータの動力で集塵ファンを回転させる携帯用クリーナが知られており、その携帯用クリーナが特許文献１に記載されている。特許文献１に記載された携帯用クリーナは、ハウジングと、ハウジングに着脱されるダストケースと、を備えている。ハウジング内に、モータと、モータの動力で駆動される集塵ファンと、が設けられている。ダストケースは、ハウジングに着脱可能であり、ハウジングは、ハウジング内とダストケース内とを仕切る隔壁を備えている。隔壁にフィルタ装置が取り付けられている。ハウジングは、ハウジングの内外をつなぐ排気口を備えている。また、ダストケースの内面に突起が設けられ、ダストケースにおいて隔壁とは反対側に吸い込みノズルが設けられている。
【０００３】
特許文献１に記載された携帯用クリーナは、モータの動力で集塵ファンが駆動されると、ダストケースの外部の空気が吸い込みノズルを通り、ダストケース内に吸い込まれる。ダストケース内に吸い込まれた空気はフィルタ装置を通り、排気口からハウジングの外に排出される。空気がフィルタ装置を通る際に、塵はフィルタ装置により捕捉される。また、ダストカバーを回転させてハウジングから取り外す際に、突起がフィルタ装置の外面を擦り、塵埃がフィルタから掻き落とされる。
【先行技術文献】
【特許文献】
【０００４】
【特許文献１】特開２０１０−２６４４０８号公報
【発明の概要】
【発明が解決しようとする課題】
【０００５】
しかし、特許文献１に記載された携帯用クリーナは、ダストカバーに設けた突起でフィルタ装置の外面を擦った際に、フィルタ装置がハウジングから外れる問題があった。
【０００６】
本発明の目的は、ダストケースをハウジングに対して回転させた場合に、フィルタ装置がハウジングから外れることを抑制できる、携帯用クリーナを提供することにある。
【課題を解決するための手段】
【０００７】
本発明の携帯用クリーナは、ハウジングに取り付けられるダストケースと、前記ハウジングに取り付けられ、かつ、前記ダストケースの内部に設けられ、かつ、前記ダストケース内に吸い込まれる空気が通る経路に設けられたフィルタ装置と、を有する携帯用クリーナであって、前記ダストケースが前記ハウジングに対して第１の向きに回転されると、前記ダストケースが前記ハウジングから取り外されることを許容する一方、前記ダストケースが前記ハウジングに対して前記第１の向きとは逆の第２の向きに回転されると、前記ダストケースを前記ハウジングに固定するケース支持機構と、前記フィルタ装置が前記ハウジングに対して前記第１の向きに回転されると、前記フィルタ装置を前記ハウジングに固定する一方、前記フィルタ装置が前記ハウジングに対して前記第２の向きに回転されると、前記フィルタ装置が前記ハウジングから取り外されることを許容するフィルタ支持機構と、前記フィルタ支持機構により前記ハウジングに取り付けられている前記フィルタ装置が、前記第１の向きでさらに回転されることを防止する回り止め機構と、が設けられている。
【発明の効果】
【０００８】
本発明では、ダストケースをハウジングから取り外す際に回転する向きと、フィルタ装置をハウジングから取り外す際に回転する向きとが逆であるため、ダストケースをハウジグから取り外す際に、フィルタ装置がハウジングから外れることを抑制できる。
【図面の簡単な説明】
【０００９】
【図１】本発明の携帯用クリーナを示す正面断面図である。
【図２】図１の携帯用クリーナを示す平面図である。
【図３】図１の携帯用クリーナのモータケースを分解した平面図である。
【図４】図１の携帯用クリーナの部分的な正面断面図である。
【図５】図１の携帯用クリーナに用いるフィルタ装置の斜視図である。
【図６】（Ａ），（Ｂ）は、図１の携帯用クリーナに用いるモータケース及びフィルタ装置の側面図である。
【図７】図１の携帯用クリーナに用いるダストケースの断面図である。
【発明を実施するための形態】
【００１０】
以下、本発明の実施の形態を図１〜図７に基づいて詳細に説明する。本発明の一実施形態である携帯用クリーナ１０は、クリーナ本体１１を備えている。クリーナ本体１１は、モータケース１２と、モータケース１２に対して着脱可能なダストケース１３と、を備えている。モータケース１２は、図２及び図３のように、第１ブロック１４と第２ブロック１５とを互いに固定して組み立てられている。第１ブロック１４及び第２ブロック１５は、共に合成樹脂で成形されている。第１ブロック１４と第２ブロック１５とは、分割された状態で製造され、第１ブロック１４と第２ブロック１５とが、ねじ部材等の固定要素により固定される。
【００１１】
モータケース１２に着脱部１９が設けられており、電池パック２０は、着脱部１９に着脱される。電池パック２０は、電池セルを収容している。電池パック２０は電池側端子を有し、着脱部１９はハウジング側端子を有する。電池パック２０が着脱部１９に取り付けられると、電池側端子はハウジング側端子に接続される。
【００１２】
モータケース１２内に電動モータ１６が収容されている。電動モータ１６は、ロータ及びステータを内蔵したモータ本体１７と、ロータに接続された回転軸１８と、を備えている。モータ本体１７は、円筒形状のケーシングである。回転軸１８は、軸線Ａ１を中心として回転可能であり、回転軸１８は、軸線Ａ１に沿った方向で、着脱部１９とは反対側に向けてモータ本体１７から突出されている。
【００１３】
モータケース１２にグリップ２１が設けられており、グリップ２１にトリガ２２が設けられている。トリガ２２は、作業者により操作される。また、グリップ２１にトリガスイッチ２３が設けられている。トリガスイッチ２３は、トリガ２２に操作力が加えられるとオンし、トリガ２２に加えた操作力が低下するとオフする。また、電動モータ１６を、ハウジング側端子及びトリガスイッチ２３にそれぞれ接続する電力ケーブル２４が設けられている。
【００１４】
モータケース１２内に集塵ファン２５が設けられている。図４のように、集塵ファン２５は、軸線Ａ１に沿った方向で、電動モータ１６の配置位置とは異なる位置に配置されている。軸線Ａ１に沿った方向で、電動モータ１６は、着脱部１９と集塵ファン２５との間に配置されている。
【００１５】
集塵ファン２５は回転軸１８に固定されている。集塵ファン２５は、回転軸１８の動力で軸線Ａ１を中心として回転する。集塵ファン２５は遠心ファンであり、吸い込み口２６と、吸い込み口２６に接続された通気路２７と、通気路２７に接続された吐出口２８と、を備えている。吐出口２８は、軸線Ａ１を中心とする径方向で、吸い込み口２６よりも外側に配置されている。なお、モータケース１２は、モータケース１２の内部と外部とをつなぐ排気口２９を備えている。排気口２９は、第１ブロック１４及び第２ブロック１５の両方に設けられている。
【００１６】
次に、モータケース１２が、電動モータ１６を支持する構造を説明する。モータケース１２内にモータホルダ４６が設けられている。モータホルダ４６は、合成樹脂製である。モータホルダ４６は凹部４７を備え、モータ本体１７は凹部４７に配置されている。そして、モータホルダ４６に取り付けた複数のねじ部材５３により、モータ本体１７がモータホルダ４６に固定されている。
【００１７】
一方、モータケース１２の内面に支持部５５が設けられており、支持部５５に支持溝５６が設けられている。支持部５５及び支持溝５６は、軸線Ａ１を中心とする同一円周上に、それぞれ複数設けられている。支持部５５及び支持溝５６は、第１ブロック１４及び第２ブロック１５にそれぞれ設けられている。モータホルダ４６の外周に複数の突出部５４が設けられ、複数の突出部５４は、ブッシュ５７を介して支持溝５６にそれぞれ配置されている。ブッシュ５７は、ゴム状弾性体で一体成形されている。
【００１８】
モータホルダ４６は、モータケース１２の内部を軸線Ａ１に沿った方向で、集塵ファン２５が配置された第１空間Ｂ１と、電動モータ１６が配置された第２空間Ｂ２と、に区画する。また、外筒部４８の外周面に、円周方向に沿って複数のリブ６１が設けられている。また、リブ６１同士の間に通気路６２が形成されている。通気路６２は、第１空間Ｂ１と第２空間Ｂ２とをつなぐ。
【００１９】
モータケース１２において、軸線Ａ１に沿った方向で着脱部１９とは反対の箇所に、円筒状のスリーブ３１が設けられている。スリーブ３１は、モータケース１２の外部と第１空間Ｂ１とをつなぐ開口部３０を形成する。スリーブ３１の外周に、ガイド溝３２及び突起３３が設けられている。ガイド溝３２は、軸線Ａ１に沿った方向で突起３３と電動モータ１６との間に配置されている。スリーブ３１、ガイド溝３２、突起３３は、第１ブロック１４及び第２ブロック１５の両方に亘って設けられている。
【００２０】
また、突起３３及びガイド溝３２は、スリーブ３１の円周方向における所定の範囲に形成されている。ガイド溝３２の円周方向の一端から、スリーブ３１の先端に向けて延ばされた出入り口３２Ａが設けられている。出入り口３２Ａは、ガイド溝３２からスリーブ３１の先端まで到達する切り欠きである。ガイド溝３２は、円周方向の端部に内壁３２Ｂを有する。ガイド溝３２、出入り口３２Ａ、突起３３を１セットとして、スリーブ３１の円周方向に２セット設けられている。
【００２１】
ダストケース１３は、開口部３０を塞ぐようにモータケース１２に取り付けられている。ダストケース１３は、合成樹脂を筒形状に一体成形した部材である。ダストケース１３は、軸線Ａ１に沿った方向の端部がモータケース１２に接続される。ダストケース１３の開口端４５の内面に突起３４が設けられている。突起３４は、軸線Ａ１を中心とする円周方向に２箇所設けられている。
【００２２】
ダストケース１３は吸い込みノズル３５を備えている。吸い込みノズル３５は、軸線Ａ１に沿った方向で、開口端４５とは反対側に設けられている。吸い込みノズル３５は、軸線Ａ１と同心状に配置された筒体であり、吸い込みノズル３５は吸気路３６を形成する。吸気路３６は、ダストケース１３の内部と外部とをつなぐ。
【００２３】
ダストケース１３の内部にフィルタ装置３７が設けられている。フィルタ装置３７は、ダストケース１３内に吸い込まれた空気が通る経路に設けられている。フィルタ装置３７は、プレフィルタ３８と濾材３９と補強部材４０とを備えている。プレフィルタ３８は、図５のように、合成樹脂製のホルダ３８Ａに、金属製のメッシュ３８Ｂを筒状に配置したものであり、かつ、通気性を備えている。濾材３９は、プレフィルタ３８の内側に配置され、かつ、不織布を筒状に成形したものである。不織布に形成された通気孔の開口径は、メッシュ３８Ｂに形成された通気孔の開口径よりも小さい。補強部材４０は、濾材３９の内側に配置され、かつ、濾材３９が内側に潰れることを防止する。補強部材４０は、合成樹脂製を骨格状に配置したものであり、骨格の隙間を空気が通る。補強部材４０は、環状部４０Ａを備え、環状部４０Ａはスリーブ７１の内周に嵌め込まれる。
【００２４】
ホルダ３８Ａは、軸線Ａ１に沿った方向にける集塵ファン２５に近い側の端に、環状部４２を備えている。環状部４２の外周面には、図６（Ａ），（Ｂ）のように、円周方向に間隔をおいて係合部４３が２つ設けられている。係合部４３の外接円の直径は、スリーブ３１の内径よりも小さい。軸線Ａ１に対して垂直な平面でプレフィルタ３８を側面視すると、係合部４３は、環状部４２の円周方向にアーチ状に設けられており、係合部４３に突起４３Ａが設けられている。突起４３Ａは係合部４３から、プレフィルタ３８の径方向に突出されている。２つの係合部４３にそれぞれ設けられた２つの突起４３Ａは、軸線Ａ１を中心とする円周方向で、正反対の位置に配置されている。
【００２５】
一方、スリーブ３１の内面に内向きフランジ７０が設けられている。また、内向きフランジ７０から軸線Ａ１に沿った方向に延ばされたスリーブ７１が設けられている。スリーブ７１は、ダストケース１３内に向けて延ばされており、スリーブ７１は、軸線Ａ１を中心とする径方向で、スリーブ３１の内側に配置されている。環状部４２は、スリーブ７１の外周面に嵌め込まれる。
【００２６】
スリーブ３１の内面に支持溝４４及び係合部７２が設けられている。軸線Ａ１に沿った方向で、支持溝４４は、係合部７２と内向きフランジ７０との間に配置されている。軸線Ａ１を中心とするスリーブ３１の径方向で、支持溝４４及び係合部７２は、スリーブ７１よりも外側に配置されている。支持溝４４及び係合部７２は、スリーブ３１の円周方向で同じ範囲に設けられている。さらに、支持溝４４の深さを、局所的に外側に向けて増加した凹部７３が設けられている。環状部４２をスリーブ７１の外周に嵌め込み、フィルタ装置３７をモータケース１２に対して回転すると、係合部４３が支持溝４４に出入りする。ダストケース１３及びフィルタ装置３７は、共通の軸線Ａ１を中心としてモータケース１２に対して回転可能である。
【００２７】
さらに、スリーブ３１の内面に突起７４が設けられている。突起７４は、スリーブ３１の内面から内側に向けて突出されている。突起７４は、スリーブ３１の円周方向で、２つの支持溝４４の隣にそれぞれ配置されている。スリーブ３１の円周方向における突起７４の配置位置は、図６で対応する支持溝４４の凹部７３から、反時計回りに４５度の範囲内に設けることが可能である。２つの突起７４の内接円の直径は、２つの係合部４３の外接円の直径よりも小さい。
【００２８】
さらに、図７のように、ダストケース１３の内面に、円周方向に間隔をおいて３個のマウント７５が設けられている。３個のマウント７５はダストケース１３と一体に設けられている。３個のマウント７５は、軸線Ａ１を中心とする円周方向に、１２０度の間隔で配置されている。また、マウント７５は軸線Ａ１に沿った方向で、所定の長さに配置されている。３個のマウント７５の内接円の直径は、フィルタ装置３７の外径よりも大きい。３個のマウント７５は、ブレード７６をそれぞれ支持している。３個のブレード７６は、ゴム状弾性体によりそれぞれ成形されており、３個のブレード７６は、３個のマウント７５にそれぞれ固定されている。３個のブレード７６は、軸線Ａ１を中心として同一円周上に配置されている。３個のブレード７６の内接円の直径は、フィルタ装置３７の外径よりも小さい。さらに、軸線Ａ１に沿った方向におけるマウント７５及びブレード７６の配置範囲は、軸線Ａ１に沿った方向におけるフィルタ装置３７の配置範囲と重なる。
【００２９】
フィルタ装置３７は、モータケース１２に対して次の手順で取り付けられる。まず、フィルタ装置３７は、モータケース１２と同心状に配置される。また、フィルタ装置３７は、図６（Ｂ）のように、係合部４３と係合部７２とが円周方向で異なる位置となるように、モータケース１２に対して保持される。そして、フィルタ装置３７とモータケース１２とを近づけ、環状部４２をスリーブ７１の外周に嵌め込み、かつ、補強部材４０の環状部４０Ａを、スリーブ７１の内周に嵌め込み、環状部４２が内向きフランジ７０に接触すると、フィルタ装置３７が停止する。この時点で、突起４３Ａは、スリーブ３１の内面に押し付けられている。
【００３０】
次いで、フィルタ装置３７は、図６（Ｂ）で反時計回りに回転される。すると、突起４３Ａは、フィルタ装置３７の回転中、スリーブ３１の内面を擦る。そして、図６（Ａ）のように、突起４３Ａが凹部７３に進入すると、係合部４３が突起７４に接触し、フィルタ装置３７が停止する。このため、フィルタ装置３７を図６（Ａ）の位置から、さらに反時計回りに回転させようとしても、フィルタ装置３７は回転しない。フィルタ装置３７がモータケース１２に取り付けられて、スリーブ３１の円周方向で、係合部７２と係合部４３との位置が重なると、係合部４３と係合部７２とが、軸線Ａ１に沿った方向で係合するため、フィルタ装置３７がモータケース１２から外れることを防止できる。
【００３１】
次に、ダストケース１３をモータケース１２に取り付ける作業を説明する。モータケース１２とダストケース１３とを軸線Ａ１を中心として同心状に配置し、かつ、モータケース１２とダストケース１３とを近づけ、突起３４を出入り口３２Ａに挿入し、さらに、ダストケース１３をモータケース１２に対して軸線Ａ１を中心として回転させる。具体的には、図２に示す向きＤ１でダストケース１３が回転される。すると、突起３４がガイド溝３２内に挿入されて、突起３３と突起３４とが係合し、ダストケース１３とモータケース１２とが固定される。つまり、ダストケース１３はモータケース１２に対して、軸線Ａ１に沿った方向に位置決め固定される。また、突起３４が内壁３２Ｂに接触すると、ダストケース１３はモータケース１２に対してそれ以上回転しない。
【００３２】
ダストケース１３をモータケース１２に対して、図６において向きＤ１で回転させる際、ブレード７６の先端がフィルタ装置３７の外周部を擦る。ここで、ブレード７６の先端がフィルタ装置３７の外周部を擦る際に生じる摩擦力は、２個の突起４３Ａが凹部７３の内面に押し付けられて生じる係合力よりも小さい。このため、ダストケース１３をモータケース１２に対して向きＤ１で回転させる際、図６（Ａ）に示すフィルタ装置３７が、モータケース１２に対して時計回り、つまり、向きＤ１で回転することを規制できる。
【００３３】
次に、携帯用クリーナ１０の使用例を説明する。トリガ２２に操作力が加えられてトリガスイッチ２３がオンされると、電池パック２０の電力が電動モータ１６に供給され、回転軸１８が回転する。回転軸１８と共に集塵ファン２５が回転すると、ダストケース１３内が負圧となり、吸引力が発生する。このため、モータケース１２の外部の空気及び異物は、吸い込みノズル３５の吸気路３６を通りダストケース１３内に吸い込まれる。
【００３４】
ダストケース１３内に吸い込まれた空気は、フィルタ装置３７を通過し、かつ、集塵ファン２５に吸い込まれる。ダストケース１３内に吸い込まれた空気がフィルタ装置３７を通過する際に、塵埃が捕捉される。集塵ファン２５の吐出口２８から吐出された空気は、通気路６２を通り第２空間Ｂ２へ流れ込み、第２空間Ｂ２に流れ込んだ空気は、排気口２９を経由してクリーナ本体１１の外部に排出される。なお、トリガ２２に加えた操作力が解除されると、トリガスイッチ２３がオフされ、電池パック２０の電力は電動モータ１６に供給されず、回転軸１８は停止する。
【００３５】
さらに、フィルタ装置３７に付着した異物を除去する作業を説明する。ダストケース１３を、図２の向きＤ２でモータケース１２に対して所定量回転させて停止させる。そして、ダストケース１３を軸線Ａ１に沿って移動させて、突起３４を出入り口３２Ａを通過させると、ダストケース１３をモータケース１２から取り外すことが許容される。
【００３６】
上記作業中、作業者がダストケース１３をモータケース１２に対して向きＤ２で回転させる際に、ブレード７６がフィルタ装置３７の外表面を擦り、フィルタ装置３７の表面に付着している塵埃が掻き落とされる。ここで、フィルタ装置３７の表面に塵埃が付着していると、ブレード７６がフィルタ装置３７を擦った場合に生じる摩擦力は、フィルタ装置３７に異物が付着していない場合の摩擦力よりも大きい。しかし、本実施形態では、スリーブ３１に突起７４が設けられているため、フィルタ装置３７に対して、図６（Ａ）で反時計回り、つまり、向きＤ２で回転させようとする力が加わっても、フィルタ装置３７が反時計回りに回転することを防止できる。
【００３７】
なお、作業者は、ダストケース１３を、図２の向きＤ１及び向きＤ２でモータケース１２に対して交互に回転させる動作を繰り返し、フィルタ装置３７に付着している塵埃を除することも可能である。
【００３８】
上記のように、ダストケース１３をモータケース１２に対して、向きＤ１または向きＤ２の何れで回転させた場合でも、ブレード７６とフィルタ装置３７との摩擦力で、フィルタ装置３７がモータケース１２に対して回転することを防止できる。したがって、軸線Ａ１に沿った方向において、フィルタ装置３７の係合部４３と、モータケース１２の係合部７２との係合力を確保できる。したがって、フィルタ装置３７がモータケース１２から外れることを防止できる。
【００３９】
一方、フィルタ装置３７をモータケース１２から取り外す場合は、作業者が、フィルタ装置３７を図６（Ａ）の向きＤ１で回転させる。ここで、フィルタ装置３７に加える回転力は、突起４３Ａと凹部７３の内面との係合力を超える値とする。したがって、フィルタ装置３７は、図６（Ａ）でモータケース１２に対して時計回りに回転する。作業者は、図６（Ｂ）のように、係合部４３と係合部７２との円周方向の位置が異なる状態になった時点で、フィルタ装置３７を停止させる。係合部４３と係合部７２との円周方向の位置が異なる状態になると、係合部４３と係合部７２との係合力は無くなる。このため、フィルタ装置３７を軸線Ａ１に沿って移動させて、フィルタ装置３７をモータケース１２から取り外すことができる。
【００４０】
上記のように、携帯用クリーナ１０は、ダストケース１３をモータケース１２から取り外す場合に回転する向きＤ２と、フィルタ装置３７をモータケース１２から取り外す場合に回転する向きＤ１とが逆である。したがって、ダストケース１３を回転させてモータケース１２から取り外す場合に、フィルタ装置３７がモータケース１２から外れることを防止できる。
【００４１】
本実施形態において説明した構成と、本発明の構成との対応関係を説明すると、モータケース１２が、本発明のハウジングに相当し、ダストケース１３が、本発明のダストケースに相当し、フィルタ装置３７が、本発明のフィルタ装置に相当し、向きＤ２が、本発明における第１の向きに相当し、向きＤ１が、本発明における第２の向きに相当し、ガイド溝３２、突起３３，３４、出入り口３２Ａが、本発明のケース支持機構に相当し、係合部４３，７２、支持溝４４が、本発明のフィルタ支持機構に相当する。また、軸線Ａ１が、本発明の軸線に相当し、ブレード７６が、本発明の除塵機構に相当し、ブレード７６の先端が、本発明における接触部に相当し、係合部４３及び突起７４が、本発明の回り止め機構に相当し、係合部４３Ａ及び凹部７３が、本発明の位置保持機構に相当し、凹部７３が、本発明の第１保持部に相当し、突起４３Ａが、本発明の第２保持部に相当し、係合部７２が、本発明の第１係合部に相当し、係合部４３が、本発明の第２係合部に相当する。
【００４２】
本発明は前記実施の形態に限定されるものではなく、その要旨を逸脱しない範囲で種々変更可能である。例えば、本発明は、ダストケースの先端部を、モータケースのスリーブの内周面に嵌合して、ダストケースをモータケースに着脱する携帯用クリーナを含む。また、本発明の携帯用クリーナは、第１係合部が突起であり、第２係合部が溝である構造を含む。つまり、第１係合部と第２係合部は、互いに係合して係合力を発生する構成であればよい。
【００４３】
また、本発明のダストケース１３及びフィルタ装置３７は、モータケース１２に対して着脱する場合の回転の向きが、互いに逆であればよく、実施の形態に限定されない。つまり、ダストケースは、図６において反時計回りである向きＤ２で回転すると、モータケース１２に取り付けられ、かつ、時計回りである向きＤ１で回転すると、モータケース１２から取り外せる構成でもよい。この場合、フィルタ装置は、図６において時計回りである向きＤ１で回転すると、モータケース１２に取り付けられ、かつ、反時計回りである向きＤ２で回転すると、モータケース１２から取り外される。
【００４４】
本発明は、商用電源と電動モータとを接続する電力ケーブルが、ハウジングの外部に配索される携帯用クリーナを含む。本発明の携帯用クリーナにおける「携帯用」は、作業者がクリーナを持って移動可能であること、を意味する。さらに、ハウジングに設けられ、かつ、集塵ファンを駆動するモータは、電動モータ、油圧モータ、空気圧モータを含む。本発明の塵埃は、ゴミ、粒状物、異物を含む。
【符号の説明】
【００４５】
１２…モータケース、１３…ダストケース、３２…ガイド溝、３３，３４…突起、３２Ａ…出入り口、３７…フィルタ装置、４３，７２…係合部、４４…支持溝、７３…凹部、７６…ブレード、Ａ１…軸線、Ｄ１，Ｄ２…向き。
【図１】
0006347196.tif 000002
【図２】
0006347196.tif 000003
【図３】
0006347196.tif 000004
【図４】
0006347196.tif 000005
【図５】
0006347196.tif 000006
【図６】
0006347196.tif 000007
【図７】
0006347196.tif 000008